(57)【要約】【課題】球根の装着が容易で安定性を保ち、水や根の状態を観察しやすく、球根が成長しても見栄えがよくデザイン的に優れ、安定的に設置が行える球根水栽培器を提供する。【解決手段】上方が開放した透明の水入れ容器１の底部に、球根装着体７を固定する台座体２が設けられて構成される球根水栽培器において、球根１１を安定的に固定する固定手段として、ＥＶＡ（エチレン−酢酸ビニール共重合樹脂）形体により成形されている球根装着体７に連結柱連結用連通孔８と球根装着用連通孔９を備え、その球根装着用連通孔９内の側面には、球根装着体７と同材料で成形されている球根固定凸部１０が形成されるとともに、さらに、球根装着体７を固定する固定手段として、比重が１以上の材料で形成されている台座体２に、この台座体２と同材料で成形されている連結柱土台３と連結柱４が設けられている。【選択図】図１
0003127293.tif 000002
【実用新案登録請求の範囲】
【請求項１】
上方が開放した透明の水入れ容器の底部に、球根装着体とそれを固定する台座体が設けられて構成される球根水栽培器において、球根を安定的に固定する固定手段として、前記球根装着体に連結柱連結用連通孔と球根装着用連通孔を備え、前記球根装着用連通孔内の側面に球根固定凸部が形成されるとともに、さらに、この球根装着体を固定する固定手段として、連結柱土台と連結柱が形成された前記台座体が設けられてなることを特徴とする球根水栽培器。
【請求項２】
前記球根装着体と前記球根固定凸部は、ＥＶＡ（エチレン−酢酸ビニール共重合樹脂）形体により成形されていることを特徴とする請求項１に記載の球根水栽培器。
【請求項３】
前記台座体と前記連結柱土台及び前記連結柱は、比重が１以上の材料で形成されていることを特徴とする請求項１または請求項２に記載の球根水栽培器。
【考案の詳細な説明】
【技術分野】
【０００１】  この考案は、球根水栽培器に関する。
【特許文献１】実開平７−１７０４３号公報
【背景技術】
【０００２】  従来の球根水栽培器は、上方が開放した水入れ容器の上部に、底部に根延び出し用穴を備える球根装着凹部が形成された球根装着体が設けられた構成としている。そして、上記球根装着凹部内に装着された球根上に球根押さえ用のスポンジ体を設け、さらに、そのスポンジ体を押さえるように上記球根装着凹部の開口に、芽延び出し用穴を備える蓋体が設けられた構成としており、また、上方が開放した上記水入れ容器の外周を不透明のカバー容器で覆うようにしている。
【考案の開示】
【考案が解決しようとする課題】
【０００３】  しかしながら、上記の球根装着体を形体とする球根水栽培器では、下記のような問題点があった。【０００４】  球根装着凹部内に装着された球根上から球根押さえ用のスポンジ体を球根装着凹部内に押し込み、さらに、はみ出たスポンジ体を球根装着凹部内に押し込み、その上にスポンジ体を固定する蓋体を取り付ける方法は、球根の最も重要な発芽部と発根部に疵を付ける場合があり、また、部品が多く球根を装着するのにも手間がかかった。【０００５】  さらに、球根装着体は、水入れ容器の上部に設置される構成となっているため、球根が成長するに従って球根の茎が外側に曲る場合があり、その場合、球根の安定性と見栄えが大きく損なわれる。球根水栽培器は、非常にデザイン的要素が大きいので、球根の安定性と見栄えが大きく損なわれることは、製品の品質を大きく低下させることとなった。【０００６】  さらに、多くの水の量を必要とするため、重心の位置が高くなり不安定で転倒しやすい。また、水や根の状態を観察する場合、その都度、水入れ容器の外周を覆っている不透明のカバー容器を外さなければならない。【０００７】  この考案は、上記の問題点を解決するため、球根の発芽部や発根部に疵を付けることなく球根の装着が容易で安定性を保ち、水や根の状態を観察しやすく、球根が成長しても見栄えがよくデザイン的に優れ、重心の位置を低く保つことで安定的に設置が行える球根水栽培器を提供することを課題とする。
【課題を解決するための手段】
【０００８】  以上の課題を解決するため、請求項１に記載の考案は、上方が開放した透明の水入れ容器の底部に、球根装着体とそれを固定する台座体が設けられて構成される球根水栽培器において、球根を安定的に固定する固定手段として、前記球根装着体に連結柱連結用連通孔と球根装着用連通孔を備え、この球根装着用連通孔内の側面に球根固定凸部が形成されるとともに、さらに、前記球根装着体を固定する固定手段として、連結柱土台と連結柱が形成された前記台座体が設けられてなることを特徴とする球根水栽培器。【０００９】  請求項２に記載の考案は、前記球根装着体と前記球根固定凸部は、ＥＶＡ（エチレン−酢酸ビニール共重合樹脂）形体により成形されていることを特徴とする請求項１に記載の球根水栽培器。【００１０】  請求項３に記載の考案は、前記台座体と前記連結柱土台及び前記連結柱は、比重が１以上の材料で形成されていることを特徴とする請求項１または請求項２に記載の球根水栽培器。
【作用】
【００１１】  この考案によれば、上方が開放した透明の水入れ容器の底部に、ＥＶＡ（エチレン−酢酸ビニール共重合樹脂）形体により成形されている球根装着体とその球根装着体に設けられた球根装着用連通孔内に所定の形態に設けられた球根が、球根の安定性を保ち、安定的に固定する固定手段として、球根装着用連通孔内の側面に球根装着体と同材料により成形されている球根固定凸部が形成され、この球根固定凸部の弾性を利用して安定的に固定され、さらに、球根装着体を固定する固定手段として、硬質塩化ビニール樹脂やポリレジン樹脂（ポリストーン）等、比重が１以上の材料で形成されている台座体に、この台座体と同材料により成形されている連結柱土台と連結柱が形成され、台座体と連結柱土台及び連結柱の重さを利用して安定的に設置される。
【実施例】
【００１２】  以下この考案の実施例を図面に基づいて説明する。【００１３】  図１はこの考案の球根水栽培器の分解斜視図であり、図２は使用状態を示すＡ−Ａの断面図である。【００１４】  これらの図において１は水入れ容器であり、水入れ容器１は平面形状を円形とし上方が開放された透明のガラス成形品よりなる。【００１５】  ２は台座体であり、硬質塩化ビニール樹脂やポリレジン樹脂（ポリストーン）等、比重が１以上の材料で形成されている。台座体２は円板形状で、その円板平面上には、台座体２と中心位置を同じとする円柱形状の連結柱土台３が形成されており、さらに、その連結柱土台３の平面上には、連結柱土台３と中心位置を同じとする円柱形状の連結柱４が形成されている。また、連結柱土台３の平面周縁には係止縁５が、そして、連結柱４の平面周縁からは下方に広がって突出する嵌合縁６が設けられている。連結柱土台３と連結柱４及び係止縁５及び嵌合縁６は、台座体２と同材料により成形されている。【００１６】  ７は球根装着体であり、球根装着体７は円板形状で、ＥＶＡ（エチレン−酢酸ビニール共重合樹脂）形体により成形されている。そして、この円板の中心位置には、その径が連結柱４の径と略同じとする連結柱連結用連通孔８が設けられている。その連結柱連結用連通孔８の周囲には、５個の球根装着用連通孔９が設けられている。そして、それら５個の球根装着用連通孔９内の側面には、それぞれに６個の球根固定凸部１０が形成されており、球根固定凸部１０は、球根装着体７と同材料により成形されている。球根装着体７の厚みは連結柱土台３の平面周縁に設けられた係止縁５から連結柱４の平面周縁から下方に広がって突出する嵌合縁６の下方までの長さと略同じとする範囲に形成されており、球根装着体７は、係止縁５と嵌合縁６に係止されて取り付けられる。【００１７】  以下、球根１１の装着構造について説明する。【００１８】  球根１１は、ＥＶＡ（エチレン−酢酸ビニール共重合樹脂）形体により成形されている球根装着体７に設けられた球根装着用連通孔９内に、その球根装着用連通孔９内の側面に設けられた球根装着体７と同材料により成形されている球根固定凸部１０の弾性を利用して安定的に固定される。【００１９】  上記のようにして、球根１１は、ＥＶＡ（エチレン−酢酸ビニール共重合樹脂）形体により成形されている球根装着体７に設けられている球根装着用連通孔９内に、その球根装着用連通孔９内の側面に球根装着体７と同材料により成形されている球根固定凸部１０の弾性を利用して安定的に固定される。球根１１が装着された球根装着体７は、硬質塩化ビニール樹脂やポリレジン樹脂（ポリストーン）等、比重が１以上の材料で形成されている台座体２の中央位置に設けられた連結柱４に固定され、台座体２と同材料により成形されている係止縁５と嵌合縁６により係止された状態で水入れ容器１に上方から嵌められ、台座体２と連結柱土台３及び連結柱４の重さを利用して水入れ容器１の底部への設置が容易、かつ、安定的に行える。
【考案の効果】
【００２０】  以上、説明したように、この考案によれば、球根はＥＶＡ（エチレン−酢酸ビニール共重合樹脂）形体により成形されている球根固定凸部の弾性を利用して、球根装着体に設けられた球根装着用連通孔内に安定的に固定され、材料としてのＥＶＡ（エチレン−酢酸ビニール共重合樹脂）は鮮明な着色が可能なため、装飾性に優れる製品が得られる。
【００２１】  さらに、球根装着体を硬質塩化ビニール樹脂やポリレジン樹脂（ポリストーン）等、比重が１以上の材料で形成されている台座体に固定することにより、水入れ容器の底部への設置が容易、かつ、安定的に行える。
【考案を実施するための最良の形態】
【００２２】  この考案の一実施形態を、図１に示す。
上方が開放した平面形状を円形とした水入れ容器１は、透明のガラス成形品よりなり、円板形状の台座体２は硬質塩化ビニール樹脂やポリレジン樹脂（ポリストーン）等、比重が１以上の材料で形成されている。この円板平面上には、台座体２と中心位置を同じとする円柱形状の連結柱土台３が形成されており、さらに、その連結柱土台３の平面上には、連結柱土台３と中心位置を同じとする円柱形状の連結柱４が形成されている。また、連結柱土台３の平面周縁には係止縁５が、そして、連結柱４の平面周縁からは下方に広がって突出する嵌合縁６が設けられている。円板形状の球根装着体７は、ＥＶＡ（エチレン−酢酸ビニール共重合樹脂）形体により成形されており、この円板の中心位置にはその径が連結柱４の径と略同じとする連結柱連結用連通孔８が設けられている。その連結柱連結用連通孔８の周囲には、５個の球根装着用連通孔９が設けられている。そして、それら５個の球根装着用連通孔９内の側面には、それぞれに６個の球根固定凸部１０が形成されており、その球根固定凸部１０は、球根装着体７と同材料により成形されている。球根装着体７の厚みは、連結柱土台３の平面上の係止縁５から連結柱４の平面周縁から下方に広がって突出する嵌合縁６の下方までの長さと略同じとする範囲に形成されている。
「実施形態の効果」【００２３】  この実施形態によれば、球根１１はＥＶＡ（エチレン−酢酸ビニール共重合樹脂）形体により成形されている球根装着体７に設けられた球根装着用連通孔９内の側面に形成された球根固定凸部１０の弾性を利用して、球根装着用連通孔９内に安定的に固定でき、さらに、球根装着体７は、硬質塩化ビニール樹脂やポリレジン樹脂（ポリストーン）等、比重が１以上の材料で形成されている台座体２の中心位置に形成された連結柱４に固定されることで、連結柱土台３の平面周縁の係止縁５と連結柱４の平面周縁から下方に広がって突出する嵌合縁６に係止されて取り付けられ、台座体２と連結柱土台３及び連結柱４の重さを利用して水入れ容器１の底部への設置が容易、かつ、安定的に行える。
「他の実施形態」【００２４】  図１の実施形態では、球根１１の固定手段として、球根装着体７に設けられた球根装着用連通孔９内の側面には球根固定凸部１０が形成されているが、他の実施形態では、球根装着用連通孔９は多角形の形態でも良く、水入れ容器１及び球根装着体７はそれぞれ円板状であったが、他の実施形態では、水入れ容器１及び球根装着体７は、それぞれ角形・楕円形・その他様々な形態でも良い。
【図面の簡単な説明】
【００２５】
【図１】本考案の球根水栽培器の分解斜視図である。
【図２】本考案の球根水栽培器の使用状態を示すＡ−Ａの断面図である。
【符号の説明】
【００２６】  １    水入れ容器
２    台座体
３    連結柱土台
４    連結柱
５    係止縁
６    嵌合縁
７    球根装着体
８    連結柱連結用連通孔
９    球根装着用連通孔
１０  球根固定凸部
１１  球根
１２  発芽部
１３  発根部
【図１】
0003127293.tif 000003
【図２】
0003127293.tif 000004